(57)【要約】【課題】サージエネルギー変換回路の提供。【解決手段】本サージエネルギー変換回路は、サージ保護装置（ＳＰＤ）、ガス放電管、インダクタンス、及びコンデンサで構成され、電気設備に流入するサージエネルギーを大幅に減少し、且つサージ残留電圧を減らし、サージエネルギーを電圧形態で変換し、動作電源にオーバラップし、電圧ピークの微幅上昇を形成する。数１０ｍＳ経過の後、サージエネルギー変換を完了し、動作電源は正常電圧値に回復する。これにより、サージ保護装置の寿命を延長し、並びに電気設備のサージ干渉免疫能力を増強し、サージ干渉状況下でも正常動作を維持させる。【選択図】図２
2011155759.tif 000002
【特許請求の範囲】
【請求項１】
サージエネルギー変換回路において、該サージエネルギー変換回路は、サージ吸収ユニット、サージエネルギー変換ユニット、サージエネルギー充放制御ユニット、及び等電位接地ユニットで構成され、
該サージ吸収ユニットは、入力端及び該サージエネルギー変換ユニットに接続され、複数のサージ保護装置で構成され、一定比率のサージエネルギーを吸収し、
該サージエネルギー変換ユニットは、該サージ吸収ユニットと該サージエネルギー充放制御ユニットに接続され、少なくとも二つの平行なインダクタで構成され、該一定比率を超えた残りのサージエネルギーを暫時保存し、並びにサージエネルギーを電圧形態に変換し、そのうち、サージエネルギー変換の百分率は進入するサージ総量より該サージ吸収ユニットの吸収サージを減じたものの百分率に等しく、
該サージエネルギー充放制御ユニットは、該サージエネルギー変換ユニット及び出力端に接続され、少なくとも一つのコンデンサで構成され、サージエネルギーから変換された電圧に対する充放制御を行ない、そのうち、選定する該コンデンサの規格サイズにより、その充放制御時間の長さが決定され、
該等電位接地ユニットは、前述の各ユニット、入力端、出力端及び接地線に接続され、複数のサージ保護装置で構成され、電気回路に、接地線によりカプリングされたサージに対して等電位の効果を形成し、
これにより、構成される回路がサージ通過の経路に直列に接続され、大幅に流入するサージエネルギーを減らし、サージ残留電圧を下げ、並びにサージエネルギーを電圧形態に変換することを特徴とする、サージエネルギー変換回路。
【請求項２】
請求項１記載のサージエネルギー変換回路において、該サージエネルギー変換回路はツーポート構造とされ、一辺は入力端とされて電源或いは信号線に接続され、もう一辺は出力端とされて電気或いは信号設備の保護端とされることを特徴とする、サージエネルギー変換回路。
【請求項３】
請求項２記載のサージエネルギー変換回路において、該サージエネルギー変換回路は、  前述のツーポートの入力端、
前述のツーポートの出力端、
該入力端と該出力端の間に直列に接続された、前述の平行な二つのインダクタ、
該出力端に直列に接続されると共に、二つの平行なインダクタの後に接続された前述のコンデンサ、
前述のサージ吸収ユニットであって、二つのサージ保護装置を具え、該サージ保護装置は交叉するように配置されて該二つの平行なインダクタの前後両端に接続された、前述のサージ吸収ユニット、
前述の等電位接地ユニットであって、同じ規格の四つのサージ保護装置を具え、これら四つのサージ保護装置は二つの平行なインダクタの前後両端と接地線の間に連接された、前述の等電位接地ユニット、
を包含することを特徴とする、サージエネルギー変換回路。
【請求項４】
請求項３記載のサージエネルギー変換回路において、該サージエネルギー変換回路は、シングルステージ回路とされるか、複数のシングルステージ回路で構成されたマルチステージ回路とされることを特徴とする、サージエネルギー変換回路。
【請求項５】
請求項３記載のサージエネルギー変換回路において、該入力端にさらにサージ保護装置、及びガス放電管が直列に接続されて、これによりツーステージサージ抑制構造を構成したことを特徴とする、サージエネルギー変換回路。
【請求項６】
請求項１乃至５のいずれか記載のサージエネルギー変換回路において、制定規格によりモジュールに形成され、異なる使用電力規格の設備に取り付けられることを特徴とする、サージエネルギー変換回路。
【請求項７】
請求項６記載のサージエネルギー変換回路において、三つの該モジュールが集められ、入力端及び出力端がＹ型共接続を呈するレイアウトとされたことを特徴とする、サージエネルギー変換回路。
【請求項８】
請求項６記載のサージエネルギー変換回路において、三つの該モジュールが集められ、入力端及び出力端が△型共接続を呈するレイアウトとされたことを特徴とする、サージエネルギー変換回路。
【請求項９】
請求項３記載のサージエネルギー変換回路において、使用されるサージ保護装置に異なるサージクランプ電圧が設けられ得ることを特徴とする、サージエネルギー変換回路。
【請求項１０】
請求項９記載のサージエネルギー変換回路において、出力端保護電圧をＶ34とし、出力端の瞬間電圧増量をＶ(△34)とし、インダクタが保存するエネルギーをＥL とし、インダクタ両端の電圧をＶL とし、サージ電流がインダクタを流れる時、瞬間的に保存されるエネルギーをＥ(△L) とし、瞬間インダクタ両端電圧をＶ(△L) とし、サージ抑制電圧をＶS とし、この回路はインダクタンスと出力端のサージ抑制電圧ＶS  が反比例の関係を成し、且つ該出力端の瞬間電圧増量Ｖ(△34)と静電容量は反比例の関係を成し、且つ該出力端の瞬間電圧増量Ｖ(△34)持続時間の長さと静電容量は正比例の関係をなすことを特徴とする、サージエネルギー変換回路。
【請求項１１】
請求項１０記載のサージエネルギー変換回路において、サージ保護装置に流入するサージ残留電流値をｋと設定し、インダクタに流入するサージ残留電流値を１−ｋとし、ｋの値は０．１〜０．９とすると、
ＶS ＝Ｖclamping−（１−ｋ）×Ｌ（ｄＩr ／ｄt）    公式（１）
Ｖ(△34)＝（１／ｃ）∫（１−２ｋ）Ｉrｄt    公式（２）
及び、電圧増量Ｖ(△34)持続時間をｔとすると、以下の公式（３）
【数１】
2011155759.tif 000006
が得られ、これら公式（１）乃至（３）により、顧客のカスタマイズ要求に応じて、サージ保護装置、インダクタ、コンデンサの規格を設定することで、実際の必要に符合する製品を製造することを特徴とする、サージエネルギー変換回路。
【請求項１２】
請求項１１記載のサージエネルギー変換回路において、該二つの平行なインダクタの前後に形成される四つの接点のと接地線の間の四つのサージ保護装置の瞬間電圧増量を、それぞれＶ(△1G)、Ｖ(△2G)、Ｖ(△3G)、Ｖ(△4G)とし、保護出力端の瞬間総電圧をＶC とすると、
ＶC ＝Ｖ34＋（ Ｖ(△1G)−Ｖ(△2G)）＋（Ｖ(△3G)−Ｖ(△4G)）    公式（４）
が得られ、該四つのサージ保護装置は残留電圧相互接続を実行し、等電位効果を達成し、コモンモードカプリングサージの侵入を抑制することを特徴とする、サージエネルギー変換回路。
【発明の詳細な説明】
【技術分野】
【０００１】
本発明のサージエネルギー変換回路は、サージ抑制技術領域に属し、特にその構成する回路がサージ吸収できるのみならず、サージエネルギーを電圧形態で変換し、電気設備、ネットワーク通信設備に対して、完全な保護効果を発揮できるものを指す。
【背景技術】
【０００２】
脆弱性干渉サージ（vulnerability interference surge）は大エネルギーの特性を有し、主要なサージ干渉源の一つとされ、雷サージはその典型的なものである。実際の環境では、脆弱性干渉サージに対する処理能力が不足したり処理方法が不適当であったりすると、電気設備に経常的に故障或いは誤動作を発生するのは免れない。
【発明の概要】
【発明が解決しようとする課題】
【０００３】
周知のサージエネルギーに対する処理方法は、常にサージ保護装置、たとえば、金属酸化膜バリスター（ＭＯＶ）を採用し、極めて低い接地抵抗応答を組み合わせる。ただし、実際には、この方法或いは技術はサージエネルギーに対して有効な処理を行えず、サージエネルギーを依然として電気設備に流入させてしまい、ハードウエアの衝撃による故障をもたらし、相当大きな損失を形成する。
【０００４】
ゆえに、本発明は現在の、単純なサージ保護装置の採用では、サージエネルギーの電気設備への流入を防御できないという欠点に対して、完全な解決策を提供することを目的とする。
【０００５】
本発明は一種のサージエネルギー変換回路を提供し、それは精密に規定された特別設計により、電気回路にサージ吸収保護を行わせるのみならず、吸収したサージエネルギーの変換を行い、電気設備に流入するサージエネルギーを有効に低減し、サージ残留電圧を低減し、これにより、実質的に電気設備、ネットワーク通信設備に対する保護効果を達成し、電気設備、ネットワーク通信設備のサージ免疫力を増強するものとする。
【課題を解決するための手段】
【０００６】
本発明の提供するサージエネルギー変換回路は、
サージ吸収ユニットであって、入力端及びサージエネルギー変換ユニットに接続され、複数のサージ保護装置（ＳＰＤ）で構成され、一定比率のサージエネルギーを吸収する、上記サージ吸収ユニットと、
サージエネルギー変換ユニットであって、該サージ吸収ユニットとサージエネルギー充放制御ユニットに接続され、少なくとも二つの平行なインダクタで構成され、一定比率を超えた残りのサージエネルギーを暫時保存し、並びにサージエネルギーを電圧形態に変換し、そのうち、サージエネルギー変換の百分率は進入するサージ総量より該サージ吸収ユニットの吸収サージを減じたものの百分率に等しい、上記サージエネルギー変換ユニットと、
サージエネルギー充放制御ユニットであって、該サージエネルギー変換ユニット及び出力端に接続され、少なくとも一つのコンデンサで構成され、サージエネルギー変換した電圧に対する充放制御を行ない、そのうち、選定するコンデンサ規格サイズにより、その充放制御時間の長さが決定される、上記サージエネルギー充放制御ユニットと、
等電位接地ユニットであって、前述の各ユニット、入力端、出力端及び接地線に接続され、複数のサージ保護装置で構成され、電気回路に、接地線により結合されたサージに対して等電位の効果を形成する、上記等電位接地ユニットと、
を包含する。
【発明の効果】
【０００７】
上述のように構成された回路は、以下の機能及び効果及び長所を達成する。
１．サージ保護装置、インダクタ、及びコンデンサで回路が構成され、サージ残留電圧を低減し、サージエネルギーを電圧形態に変換し、動作電源にオーバラップし、動作電圧を微幅増加させる。この方法により、サージ保護装置の寿命を延長し、電気設備のサージ免疫能力を増強する。
２．サージ保護装置、ガス放電管（gas Tube)を入力端に直列に接続して増設でき、これにより、本発明は２ステージサージ抑制構造とされて、サージ抑制効果をアップできる。
３．サージエネルギー変換回路を２ポート(two port)設計となし、一辺は電源或いは信号入力端とし、もう一辺の出力端は電気或いは信号設備保護端となし、直列接続方式で電気設備、ネットワーク通信設備を保護できる。
４．電源或いは信号入力端を外部電源或いは信号線と接続し、出力端を電気設備、ネットワーク通信設備と接続することで、サージエネルギー変換回路を、直列接続方式で外部接続線と電気設備、ネットワーク通信設備に接続して、サージエネルギー変換方式の保護効果を形成でき、実質的に、電気設備、ネットワーク通信設備のサージ免疫力をアップできる。
【０００８】
さらに重要であることは、本発明はサージエネルギーを電圧形態に変換できるのみならず、動作電圧上昇の幅と持続時間に推算できる。並びに、カスタマイズ要求に符合する製品に製造でき、ゆえに、本発明は広く各種の電気設備とネットワーク通信設備に応用されて、サージ干渉を有効に防止し、電気設備に正常動作を維持させることができる。
【図面の簡単な説明】
【０００９】
【図１】本発明のブロック図である。
【図２】本発明の回路図である。
【図３】本発明のノーマルモードカプリング試験図である。
【図４】本発明の対地コモンモードカプリング試験図である。
【図５】本発明の複数のシングルステージ回路で構成したマルチステージ回路の実施例図である。
【図６】本発明の異なる回路モジュールの実施例図である。
【図７】本発明のケース付きモジュールの実施例図である。
【図８】本発明の三個のモジュールで製造したＹ型共接続の実施例図である。
【図９】本発明の三個のモジュールで製造した△型共接続の実施例図である。
【発明を実施するための形態】
【００１０】
以下に本発明のその他の特徴内容及び長所をご理解いただくと共に、その達成する機能を明かに表現するため、図面を組み合わせて本発明を詳細に説明する。
【００１１】
図１、２に示されるように、本発明に設けられた一種のサージエネルギー変換回路１０は、
サージ吸収ユニット１であって、入力端１２及びサージエネルギー変換ユニット２に接続され、複数のサージ保護装置（ＳＰＤ）１１で構成され、一定比率のサージエネルギーを吸収する、上記サージ吸収ユニット１と、
サージエネルギー変換ユニット２であって、該サージ吸収ユニット１とサージエネルギー充放制御ユニット３に接続され、少なくとも二つの平行なインダクタ２１で構成され、一定比率を超えた残りのサージエネルギーを暫時保存し、並びにサージエネルギーを電圧形態に変換し、そのうち、サージエネルギー変換の百分率は進入するサージ総量より該サージ吸収ユニット１の吸収サージを減じたものの百分率に等しい、上記サージエネルギー変換ユニット２と、
サージエネルギー充放制御ユニット３であって、該サージエネルギー変換ユニット２及び出力端３４に接続され、少なくとも一つのコンデンサ３１で構成され、サージエネルギー変換した電圧に対する充放制御を行ない、そのうち、選定するコンデンサ３１規格サイズにより、その充放制御時間の長さが決定される、上記サージエネルギー充放制御ユニット３と、
等電位接地ユニットであって、前述の各ユニット、入力端１２、出力端３４及び接地線に接続され、複数のサージ保護装置４１で構成され、電気回路に、接地線により結合されたサージに対して等電位の効果を形成する、上記等電位接地ユニットと、
を包含する。
【００１２】
図１、２に示されるように、実施時には、該サージエネルギー変換回路１０はツーポート(two port)構造とされ得て、一辺は入力端１２とされて電源或いは信号線に接続され、もう一辺は出力端３４とされて電気或いは信号設備の保護端とされる。
【００１３】
該サージエネルギー変換回路１０の細部規格は、更に、
前述のツーポートの入力端１２、
前述のツーポートの出力端３４、
それぞれ該入力端１２と該出力端３４の間に直列に接続された、前述の平行な二つのインダクタ２１、
出力端３４に直列に接続されると共に、二つの平行なインダクタ２１の後に接続された前述のコンデンサ３１、
前述のサージ吸収ユニット１であって、二つの平行なインダクタ２１の前後両端に接続された二つのサージ保護装置１１を具え、該サージ保護装置１１は交叉するように配置され並びに二つの平行なインダクタ２１の前後に四つの接点Ｃ１、Ｃ２、Ｃ３、Ｃ４を形成し、前述の入力端１２と出力端３４に対応する、上記サージ吸収ユニット１と、
を包含する。
【００１４】
このほか、実施時には、さらに入力端１２にサージ保護装置５１、及びガス放電管５２(gas Tube）が直列に接続され得て、これによりツーステージサージ抑制構造を構成し、サージ抑制効果をアップする。
【００１５】
これにより、サージエネルギー変換回路１０は、直列接続方式で、対外接続線とネットワーク通信設備或いは電気設備の間に設けられ、サージエネルギー変換保護効果を形成し、これにより実質的に電気設備に流入するサージエネルギーを低減し、それに正常動作を維持させ並びに使用寿命を延長する。サージ保護装置１１、４１、５１により電気設備のサージ免疫能力と寿命をアップし、サージ干渉環境下でも、正常動作を維持させることがとできる。
【００１６】
以下にさらに詳しく、本発明において、サージエネルギーを推算して電圧形態に変換し、製品の動作電圧上昇の幅と持続時間を、カスタマイズ要求に符合させる方法を説明する。
【００１７】
図２に示されるように、本発明のサージエネルギー変換回路１０は、サージ保護装置１１、４１、５１、及びガス放電管５２、インダクタ２１、及びコンデンサ３１で構成され、電気設備に流入するサージエネルギーを変換し、及びその発生する抑制効果は、後述の数学公式を用いて合理的に表される。
【００１８】
本発明の方法の理論を公式で表すのに使用されるサージ保護装置１１、４１、５１は、顧客の要求により異なるサージクランプ電圧Ｖclamping(clamping voltage)に設計される。クランプ電圧が高いほど、サージ保護装置１１を流れるサージ残留電流Ir(residual current)は低くなり、クランプ電圧が低いほど、サージ保護装置１１を流れるサージ残留電流Irは高くなる。本発明の方法に用いられる数学理論において、接点Ｃ１、Ｃ４のサージ保護装置に流入するサージ残留電流値はｋに設定され、インダクタ２１に流入するサージ残留電流値はすなわち、１−ｋとされる。ｋ値は０．１−０．９であり、これによる設計構造は以下のとおりである。
【００１９】
１．図２、図３を参照されたい。電源入力端１２は、動作電圧(operating voltage)を印加状況にあって、脆弱性サージが入力端１２より進入し、サージノーマルモードカプリング(normal mode coupling)を形成する。
サージエネルギー変換回路１０にあって、電気設備保護する出力端３４の電圧をＶ34とし、二つのインダクタ２１が保存するエネルギーをＥL とし、インダクタ２１の両端の電圧をＶL とし、サージ電流がインダクタを流れる時、瞬間的に保存されるエネルギー量をＥ（△Ｌ）とし、瞬間のインダクタ２１両端の電圧をＶ（△Ｌ）とすると、
Ｅ(△L) ＝２×（１／２）×Ｌ（ＩL ）2 ＝Ｌ［（１−ｋ）×Ｉr ］2 
Ｖ(△L) ＝Ｌ（ｄＩL／ｄt ）＝（１−ｋ）×Ｌ（ｄＩr ／ｄt ）
である。
電気設備保護を行う出力端３４のサージ抑制電圧Ｖｓ(suppressing voltage）は、
ＶS ＝Ｖclamping−Ｖ(△L) 
＝Ｖclamping−（１−ｋ）×Ｌ（ｄＩr ／ｄt ）        公式（１）
ｋ値は０．１〜０．９の間
公式（１）から分かるように、インダクタ２１のインダクタンスＬの大きさと保護出力端３４のサージ抑制電圧Ｖs は反比例の関係を成し、Ｌが大きければ、サージ抑制電圧Ｖs が小さく、Ｌが小さければ、サージ抑制電圧Ｖs は増加する。ゆえに、Ｌの大きさを変更することにより、サージ抑制電圧Ｖs の大きさを明確に制御することができ、その方法は、伝統的なサージ電圧防御方式よりも、更に明確で実質的な抑制効果を有する。
サージ残流通過後、瞬間の保存のエネルギー量はＥ(△L) とされて、コンデンサ３１と接点Ｃ３、Ｃ２のＳＰＤ（サージ保護装置１１）に向けてエネルギー釈放開始する。すなわち、ｋ成分を有するサージ残留電流が接点Ｃ３、Ｃ２のサージ保護装置１１に流入し、最終的にその他の１−２ｋサージ残留電流がコンデンサ３１に流入し、保護出力端３４の電圧増量をＶ(△34)とすると、
Ｖ(△34)＝（１／ｃ）∫（１−２ｋ）Ｉrｄt        公式（２）
ｋ値は０．１〜０．９の間
公式（２）から分かるように、電気設備保護を行う出力端３４の電圧増量Ｖ(△34)とコンデンサ３１の静電容量は反比例の関係を成し、静電容量が大きければ、保護出力端３４の電圧増量Ｖ(△34)は小さくなる。反対に静電容量が小さくなれば、保護出力端３４の電圧増量Ｖ(△34)は大きくなる。
そのうち、該インダクタ２１とコンデンサ３１が構成する周波数は電源周波数とされ、これにより残流が通過後、電気設備保護を行う出力端３４の瞬間総電圧上昇をＶT とすると、
ＶT ＝Ｖ34＋Ｖ(△34)
であり、出力端３４のコンデンサ３１が瞬間的に保存する瞬間総エネルギーをＥc とすると、
【数１】
2011155759.tif 000003
ｔ0 −ｔ1 を残留電流Ｉr 波形の持続時間とすると、
【数２】
2011155759.tif 000004
よって、
ＣＶ(△34)＝（１−２ｋ）（Ｉr ×ｔ）
であり、電圧増量Ｖ(△34)持続時間をｔとすると、
【数３】
2011155759.tif 000005
公式（３）から分かるように、電気設備保護を行う出力端３４の電圧増量Ｖ(△34)の持続時間の長さはコンデンサ３１の静電容量と正比例の関係をなす。すなわち、コンデンサ３１の静電容量が大きくなればＶ(△34)の持続時間は長くなり、静電容量が小さくなれば、Ｖ(△34)の持続時間は短くなる。
公式（１）、（２）、（３）の関係を総合すると分かるように、サージエネルギー変換回路１０の保護出力端３４のサージ抑制電圧Ｖs 、インダクタンスと静電容量の設計、及び出力端３４の電圧増量Ｖ(△34)を低くし、持続時間を長くするか、或いは電圧増量Ｖ(△34)を高くし、持続時間ｔを短くするか、等は、精密な規格設計により各種の異なる実際の要求に符合するようカスタマイズされ、これにより電気設備のサージ免役能力を高める。
図３を参照されたい。図３は本発明のサージエネルギー変換回路１０の実際の（Ｌ−Ｎノーマルモードカプリング）試験図であり、電源入力端１２に１１０Ｖの交流動作電圧を印加し、並びに１０ｋＶ、１．２／５０μＳ、５ｋＡ、８／２０μＳで複合サージ（ｂｉ＿ｗａｖｅ  ｓｕｒｇｅ）を電源入力端１２よりカプリングした試験結果を示す。それによると、その保護出力端３４の動作電圧ピークは１４５Ｖより１５４Ｖに上昇し、増加率は６．２％（（１５４Ｖ−１４５Ｖ）／１４５Ｖ）であった。そして、５８ｍＳｅｃ（３．５サイクル）持続した後に１４５Ｖに回復し（注：図３の電圧減衰倍率は１００倍とされる）、これから本発明は確実に相当に良好なサージエネルギー変換及び抑制効果を有することが明かである。
このほか、図中、実際の環境中には多くの非線形負荷が存在し、それが電源波形ひずみを形成しうるが、本発明のサージエネルギー変換回路１０の、インダクタ２１とコンデンサ３１が構成する電源周波数により、サージ残流通過後の電圧増量Ｖ(△34)の持続時間内に、電源波形ひずみの減少と共に完全に改善される。
【００２０】
２．図２、４を参照されたい。電源入力端１２に動作電圧を印加し、脆弱性干渉サージを入力端１２より地面に進入させると、サージコモンモードカプリングを形成する。
そのうち、四つの接点Ｃ１、Ｃ２、Ｃ３、Ｃ４と接地線の間の四つのサージ保護装置４１の瞬間電圧増量を、それぞれＶ(△1G)、Ｖ(△2G)、Ｖ(△3G)、Ｖ(△4G)とし、保護出力端３４の瞬間総電圧をＶC とすると、
ＶC ＝Ｖ34＋（ Ｖ(△1G)−Ｖ(△2G)）＋（Ｖ(△3G)−Ｖ(△4G)）    公式（４）
となる。
四つのサージ保護装置４１は同じ規格であるため、Ｖ(△1G)＝Ｖ(△2G)、
Ｖ(△3G)＝Ｖ(△4G) であり、四つのサージ保護装置４１は残留電圧相互接続を実行する。ゆえに、保護出力端３４は等電位効果を維持でき、コモンモードカプリングサージの侵入を抑制できる。
【００２１】
図４は本発明のサージエネルギー変換回路１０の実際の対地コモンモードカプリング（Ｌ、Ｎ−Ｇコモンモードカプリング）試験図であり、電源入力端１２に２２０Ｖの交流動作電圧を印加し、並びに１０ｋＶ、１．２／５０μＳ、５ｋＡ、８／２０μＳで複合サージを電源入力端１２よりカプリングした試験結果を示す。それによると、その保護出力端３４の動作電圧ピークは２９１Ｖより３０８Ｖに上昇し、増加率は５．８％（（３０８Ｖ−２９１Ｖ）／２９１Ｖ）であった。そして、２５ｍＳｅｃ（１．５サイクル）持続した後に２９１Ｖに回復し（注：図４の電圧減衰倍率は１００倍とされ、電流と電圧出力変換は１Ｖ／１００Ａとされる）、これから本発明の等電位接地設計は、確実に相当に良好なサージエネルギー抑制効果を有することが明かである。
【００２２】
且つ、図３及び図４に示されるように、本発明のサージエネルギー変換回路１０の発生するサージ抑制の効果は、いずれも前述の公式（１）〜公式（４）より明かに推知でき、ゆえに、保護される電気設備のサージ免疫力をアップして貫通力を抑制し、その達成する複合抑制効果は明確であり、伝統的な方法の欠点を改善することができる。
【００２３】
逆方向の応用として、公式（１）〜公式（４）の推論により、簡単に、カスタマイズ要求に対応でき、すなわち、電気設備、通信設備などの異なる動作電圧（ＡＣとＤＣを包含する）と動作電流の要求に対して、簡単な換算により、対応するサージ保護装置１１、インダクタ２１、及びコンデンサ３１の規格を知ることができ、実際の必要に符合する製品を製造できる。
【００２４】
このほか、図２に示されるように、本発明のサージエネルギー変換回路１０はシングルステージ回路とされ得るのみならず、図５のように複数のシングルステージ回路で構成されたマルチステージ回路、或いは図６、図７に示されるように、通用要求により、各種モジュール１００製品を製造し、さらに、図８、図９に示されるように、顧客の実際の要求に応じて、三つのモジュール１００を合わせて入力端１２と出力端３４のＹ型共接続と△型共接続からなる３相製品を製造することができ、応用範囲はさらに多元化し広範である。
【００２５】
以上の実施例は説明に便利なように記載したものであり、本発明を限定するためのものではなく、この技術の属する分野における通常の知識を有するものであれば、以上の説明に基づき各種の変更及び異なる応用を行うことができるが、その本質が本発明の精神範疇より逸脱するものでなければ、いずれも本発明の権利請求範囲に属するものとする。
【００２６】
総合すると、本発明は従来の技術を突破し、確実に改善された機能を達成し、産業上の利用に供され、さらに本発明はその出願前に未公開であり、且つ周知の技術によって容易に思いつけるものではなく、その具備する新規性、進歩性は特許の要件に符合する。
【符号の説明】
【００２７】
１  サージ吸収ユニット
１０  サージエネルギー変換回路
１１  サージ保護装置
１２  入力端
２  サージエネルギー変換ユニット
２１  インダクタ
３  サージエネルギー充放制御ユニット
３１  コンデンサ
３４  出力端
４  等電位接地ユニット
４１  サージ保護装置
５１  サージ保護装置
５２  ガス放電管
Ｃ１、Ｃ２、Ｃ３、Ｃ４  接点
【図１】
2011155759.tif 000007
【図２】
2011155759.tif 000008
【図３】
2011155759.tif 000009
【図４】
2011155759.tif 000010
【図５】
2011155759.tif 000011
【図６】
2011155759.tif 000012
【図７】
2011155759.tif 000013
【図８】
2011155759.tif 000014
【図９】
2011155759.tif 000015